(57)【要約】【課題】  画像表示装置の動作時に生じる放電を抑制し、長寿命の画像表示を可能とした画像表示装置を提供する。【解決手段】  前面基板２と背面基板１との表示領域内に配置された複数のスペーサ１２が絶縁性材料で形成され、このスペーサ１２の側壁に導電性金属膜１３を有し、この導電性金属膜１３は、前面基板２側に突出する凸部１３ａを一体的に有することにより、メタルバック膜１７と電子放出素子１０との間の放電が抑制される。【選択図】  図４
2007026851.tif 000002
【特許請求の範囲】
【請求項１】
蛍光体層及び陽極電極を有する前面基板と、電子放出素子を有して前記前面基板と対向する背面基板と、前記前面基板と前記背面基板との間に配置される枠体とを含む外囲器と、
前記外囲器内に配置された複数の間隔保持部材と、
を備えた画像表示装置であって、
前記間隔保持部材は、表面がセラミックス材料で形成された間隔保持部材基部の側壁に導電性金属膜を有し、当該導電性金属膜は、前記前面基板側に突出する凸部を有することを特徴とする画像表示装置。
【請求項２】
蛍光体層及び陽極電極を有する前面基板と、電子放出素子を有して前記前面基板と対向する背面基板と、前記前面基板と前記背面基板との間に配置される枠体とを含む外囲器と、
前記外囲器内に配置された複数の間隔保持部材と、
を備えた画像表示装置であって、
前記間隔保持部材は、表面がセラミックス材料で形成された間隔保持部材基部の側壁に導電性金属膜を有し、当該導電性金属膜は、前記前面基板から前記背面基板側に向かって膜厚が厚くなる領域を有することを特徴とする画像表示装置。
【請求項３】
前記導電性金属膜の高さが前記間隔保持部材の高さの１／５乃至１／１００の範囲であることを特徴とする請求項１または請求項２に記載の画像表示装置。
【請求項４】
前記導電性金属膜の高さが前記間隔保持部材の高さの１／１０乃至１／５０の範囲であることを特徴とする請求項３に記載の画像表示装置。
【請求項５】
前記導電性金属膜は、前記前面基板よりも前記背面基板に近い位置に形成されていることを特徴とする請求項１または請求項２に記載の画像表示装置。
【請求項６】
前記間隔保持部材は、導電性接着部材により前記背面基板に固定され、前記導電性金属膜が当該導電性接着部材と接触または０．１ｍｍ以下の間隔を有することを特徴とする請求項５に記載の画像表示装置。
【請求項７】
前記間隔保持部材の基部側壁の端部に前記導電性金属膜が形成されない露出部を有し、当該露出部が前記導電性接着部材により前記背面基板に固定されていることを特徴とする請求項１または請求項２に記載の画像表示装置。
【発明の詳細な説明】
【技術分野】
【０００１】
本発明は、画像表示装置に係わり、特に蛍光面が形成された前面基板と電子放出素子が形成された背面基板との対向面間に複数の間隔保持部材を備えた画像表示装置に関し、詳細には間隔保持部材の放電対策構造に関するものである。
【背景技術】
【０００２】
電子を蛍光面に衝突させて発光させて画像を表示する表示装置は、例えば、電界放出型電子源を備えた電界放出型表示装置(Field Emission Display)や表面伝導型電子源を備えた表面伝導型表示装置に代表される冷陰極を備えた薄型CRT(Thin Cathode Ray Tube)や熱陰極を備えたブラウン管などがある。
【０００３】
薄型CRTは、複数の電子放出素子を備えた背面基板と、蛍光面を備えた前面基板と背面基板と前面基板とを封止する支持体（支持枠またはパネル枠体とも称する）とで薄型CRTの外囲器（容器とも称する）を構成している。外囲器内部は、電子放出素子から放出された電子の移動を容易にするために高真空度に保持されている。電子放出素子から放出された電子が電子放出素子に対向して配置した蛍光面に衝突して画像が表示される。
【０００４】
この外囲器は、大気圧に十分に耐えられるように設計されているが、特に画面サイズが大きい画像表示装置は、前面基板または背面基板が外囲器の内側方向に凹むことから、その画像表示領域内に間隔保持部材（以下、スペーサと称する）を配置し、前面基板及び背面基板の内側方向への凹みを抑制している。
【０００５】
スペーサは、前面基板と背面基板との導通を防ぐため、通常、絶縁性材料で形成される。背面基板には電子放出素子に電圧を印加するための配線が形成され、前面基板には陽極が形成されているため、前面基板と背面基板との導通を防止する必要がある。
【０００６】
ここで、スペーサを絶縁性材料で形成すると、スペーサが帯電し、新たな課題が発生する。スペーサが帯電することにより、スペーサ近傍の電界が歪み、電子放出素子から放出された電子が所定の蛍光面に到達できず、結果として画像が歪むことになる。
【０００７】
下記特許文献１，特許文献２及び特許文献３には、このような問題を解決する手段が開示されている。特許文献１には、スペーサの母体の表面に高抵抗膜を形成し、この高抵抗膜の上層に低抵抗部材で電極を形成する技術が開示している。さらに、特許文献１では、電極を前面板側と背面板側との２箇所に形成することにより、電子放出素子から放出された電子の到達位置を制御している。
【０００８】
特許文献２には、絶縁性材料で形成されたスペーサの表面に高抵抗膜を形成し、このスペーサの下部表面に帯電を防止するための低抵抗膜を形成する技術が開示されている。この構成により、スペーサの帯電により乱れる電子軌道を補正することができ、蛍光面の適正な位置に電子ビームを照射できる。
【０００９】
特許文献３には、半導電性のスペーサが複数の配線と接触しないように１つの配線上に配置することにより、電子放出素子から放出される電子の軌道を安定化させる技術が開示されている。
【００１０】
【特許文献１】特開平１０−３３４８３４号公報
【特許文献２】特開２０００−２５１７９１号公報
【特許文献３】特開平８−１８０８２１号公報
【発明の開示】
【発明が解決しようとする課題】
【００１１】
外囲器の内部を真空とし、陰極から放出された電子を蛍光面に衝突させて画像を表示する画像表示装置は、画像表示時に陽極と他の電極との間で放電現象が発生する可能性がある。放電が発生すると、パネル寿命を短縮させたり、また、所定の個所以外の場所が発光するなどの問題がある。また、パネルが大気圧に耐え得るパネル構造及びスペーサの帯電を抑制する構造などについては検討されているものの、画像表示装置を長寿命化させる構造については検討されていなかった。
【００１２】
また、陽極と他の電極との間に生じる放電を抑制するために画像表示装置の製造工程でノッキングを行なっている。しかしながら、放電は、スペーサと電極との接触が不完全な個所で発生するので、その放電個所を特定することが困難であるなどの課題があった。
【００１３】
したがって、本発明は、上述した従来の課題を解決するためになされたものであり、その目的は、画像表示装置の動作時に生じる放電を抑制し、長寿命の画像表示を実現可能とする画像表示装置を提供することにある。
【課題を解決するための手段】
【００１４】
このような目的を達成するために本発明による画像表示装置は、前面基板と背面基板との表示領域内に配置された複数の間隔保持部材の表面がセラミックス材料（高抵抗または絶縁性材料）で形成された間隔保持部材基部の側壁に導電性金属膜を有し、この導電性金属膜の前面基板側に突出する凸部を一体的に有することにより、陽極電極と導電性金属膜との間で放電が生じ易くなり、陽極電極と電子放出素子との間の放電が抑制されるので、背景技術の課題を解決することができる。
【００１５】
また、本発明による他の画像表示装置は、間隔保持部材の表面がセラミックス材料で形成された間隔保持部材基部の側壁に導電性金属膜を有し、この導電性金属膜の膜厚が前面基板から背面基板側に向かって厚くなる領域を一体的に有することにより、陽極電極と導電性金属膜との間で放電が生じ易くなり、陽極電極と電子放出素子との間の放電が抑制されるので、背景技術の課題を解決することができる。
【００１６】
なお、本発明は、上記の構成及び後述する実施例の構成に限定されるものではなく、本発明の技術思想を逸脱することなく、種々の変更が可能である。
【発明の効果】
【００１７】
本発明による画像表示装置によれば、陽極電極と導電性金属膜との間において放電し易い構造としたので、通常の動作時における電子放出素子と陽極電極との間で放電が発生し難くなり、電子放出素子の破壊を抑制できる。また、電子放出素子の破壊に起因するガスの発生を防止できるので、輝度の劣化を抑制できる。したがって、画像表示装置の寿命が大幅に向上し、品質及び信頼性の高い画像表示装置が実現可能となるという極めて優れた効果が得られる。
【００１８】
また、本発明による画像表示装置によれば、陽極電極と導電性金属膜との間を製造工程中にノッキング処理を実施し、強制的に放電させるので、通常の動作時の放電を制御できる。また、ノッキングにより動作中に放電し易い個所を減らすことができるので、画像表示装置の長寿命化が実現可能となるなどの極めて優れた効果が得られる。
【発明を実施するための最良の形態】
【００１９】
以下、本発明の具体的な実施の形態について、実施例の図面を参照して詳細に説明する。
【実施例１】
【００２０】
図１および図２は、本発明による画像表示装置の実施例１の構成を説明する画像表示装置の図であり、図１（ａ）は前面基板側から見た平面図、図１（ｂ）は図１（ａ）の矢印Ａ方向から見た側面図、図２は図１の前面基板を取り去って示す背面基板の模式平面図、図３は図２のＢ−Ｂ線に沿って切断した背面基板とこの背面基板と対応する部分の前面基板の模式拡大断面図である。
【００２１】
図１乃至図３において、参照符号１は背面基板、２は前面基板であり、これらの背面基板１及び前面基板２は、厚さ数ｍｍ、例えば約３ｍｍ程度のガラス板から構成されている。３は枠（フレーム）であり、この枠体３は、厚さ数ｍｍ、例えば約３ｍｍ程度のガラス板またはフリットガラスの焼結体から構成されている。４は排気管であり、この排気管４は背面基板１の背面に固着されている。枠体３は背面基板１と前面基板２との間に配置される。また、枠体３は画像表示領域の周縁部に画像表示領域を囲んで配置される。背面基板１および前面基板２と枠体３とを例えばフリットガラス等の封着部材５を介して気密封着して外囲器が構成される。
【００２２】
背面基板１と前面基板２と支持体３と封着部材５とで囲まれた空間は、排気管４を介して排気され、例えば１０-3〜１０-5Ｐａ程度の真空に保持されている。また、排気管４は、背面基板１の外面に取り付けられてこの背面基板１を貫通して穿設された貫通孔７に連通している。排気管４を外囲器内部のガス排気完了後にチップオフして外囲器を封止する。
【００２３】
また、参照符号８は画像信号配線であり、この画像信号配線８は、背面基板１の内面に一方向（Ｙ方向）に延在し、他方向（Ｘ方向）に並設されている。９は走査信号配線であり、この走査信号配線９は、画像信号配線８と交差する他方向（Ｘ方向）に延在し、一方向（Ｙ方向）に並設されている。走査信号配線９は画像信号配線８よりも蛍光面側に形成される。１０は電子放出素子であり、この電子放出素子１０は、走査信号配線９と画像信号配線８との各交差部近傍に設けられ、走査信号配線９と電子放出素子１０とは接続電極１１で接続されている。また、画像信号配線８と、電子放出素子１０及び走査信号配線９との間には層間絶縁膜ＩＮＳが配置されている。
【００２４】
なお、画像信号配線８は例えばＡｌ／Ｎｄ膜などの２層膜が用いられ、走査信号配線９は例えばＩｒ／Ｐｔ／Ａｕ膜などの３層膜が用いられる。
【００２５】
また、参照符号１２は背面基板１及び前面基板２が外囲器内部方向への凹みを防止するスペーサである。このスペーサ１２は例えばセラミックス材（ガラス材を含む）などから構成されており、長方形の薄板形状に整形されている。このスペーサ基部の側壁には後述する導電性金属膜１３が形成されている。また、このスペーサ１２は、通常では複数の画素毎に画素の動作を妨げない位置に配置されている。この実施例ではスペーサ１２は走査信号配線９上に１本おきに直立に設置されている。
【００２６】
また、このスペーサ１２の寸法は、背面基板１及び前面基板２の基板寸法，枠体３の高さ，スペーサ１２の配置間隔，スペーサ素材などにより設定される。一般的には高さ寸法は支持体３と略同一寸法、厚さは数十μｍ〜数ｍｍ以下、長さは５０ｍｍ〜４００ｍｍ程度、好ましくは８０ｍｍ〜２５０ｍｍの範囲が実用的な値となる。
【００２７】
また、参照符号１４は接着部材である。この接着部材１４は、例えば接着用フリットガラスまたはガラス化成分と例えば銀とを含有した導電性の接着材などからなり、スペーサ１２を背面基板１と前面基板２とを接着固定している。この接着部材１４は、その組成にもよるが、厚さは接着固定の確保の点から数μｍ以上、望ましくは１０〜４０μｍ程度の厚さに設定される。
【００２８】
一方、前面基板２の内面には、赤色，緑色，青色用の蛍光体層１５が遮光用のＢＭ（ブラックマトリクス）膜１６で区画されて配置され、これらを覆うようにアルミニウムの蒸着膜からなる反射膜としてのメタルバック膜（陽極電極）１７が成膜されて蛍光面を形成している。この蛍光面構成により電子放出素子１０から放射される電子を加速し、対応する画素を構成する蛍光体層１５に射突させる。これによって蛍光体層１５が所定の色光で発色し、他の画素の蛍光体に発光色と混合されて所定の色のカラー画素を構成する。また、メタルバック膜１７は面電極として示してあるが、走査信号配線９と交差して画素列毎に分割されたストライプ状電極とすることもできる。
【００２９】
図４乃至図６は、図１に示す本発明に係わる画像表示装置の実施例１によるスペーサの構成を詳細に説明する図であり、図４は図１のＹ方向に沿って切断た要部模式断面図、図５はスペーサの側面から見た平面図、図６は図５のＩ−Ｉ線に沿って切断した断面図である。これらの図においては、前述した図と同一部分に同一符号を付し、その説明は省略してある。
【００３０】
画像表示装置に使用するスペーサ１２は、例えばセラミックス材などの絶縁性材料により薄板状に形成されている。そのスペーサ基部の両側壁には例えばＡｌ，Ｃｒ，Ｎｉ，Ｍｏ，ＴａまたはＣｕなどの金属材料を例えばスパッタリング法または蒸着法などにより導電性金属膜１３が被着形成されている。なお、この導電性金属膜１３は、上記金属材料の酸化防止層付きの金属膜または多層膜でも良い。
【００３１】
なお、このスペーサ１２の基部の比抵抗は１０8〜１０9Ω・ｃｍ程度である。この導電性金属膜１３は、背面基板１の側端部から前面基板２側の方向に向かって高さを有し、スペーサ１２に長辺方向に沿って幅を有して形成されている。また、この導電性金属膜１３の表面抵抗は１０6Ω／□以下である。
【００３２】
このスペーサ１２の背面基板１側に形成された導電性金属膜１３は、図５に示すようにスペーサ１２の長辺方向の全域に形成され、さらに、前面基板２側に突出する凸部１３ａが一体的に形成されている。この凸部１３ａのピッチＰは、スペーサ１２の高さＨＳの１〜１０倍の範囲である。また、この導電性金属膜１３の高さＨＣは、スペーサ１２の高さＨＳの１／５〜１／１００の範囲であるが、より好ましくは、スペーサ１２の高さＨＳの１／１０〜１／５０の範囲である。
【００３３】
このように構成された画像表示装置は、スペーサ１２の基部の両側面に凸部１３ａを有する導電性金属膜１３が形成されることにより、管内部（パネル内部）での放電は、メタルバック膜（陽極電極）１７と導電性金属膜１３の凸部１３ａとの間で発生することになるので、放電が生ずる個所を制御することができる。これによってメタルバック膜１７と電子放出素子との間の放電を制御することができ、電子放出素子の絶縁層または他の電極の破壊を防止できる。また、電子放出素子に破壊に起因するガスの発生を防止でき、画像表示装置の輝度劣化を制御できる。
【実施例２】
【００３４】
図７及び図８は、本発明に係わる画像表示装置の実施例２のスペーサの構成を詳細に説明する図であり、図７はスペーサの側面から見た平面図、図８は図７のII−II線に沿って
切断した断面図である。これらの図においては、前述した図と同一部分に同一符号を付し、その説明は省略してある。
【００３５】
この画像表示装置に使用するスペーサ１２は、例えばセラミックス材などの絶縁性材料により薄板状に形成されている。そのスペーサ基部の両側壁には例えばＡｌ，Ｃｒ，Ｎｉ，Ｍｏ，ＴａまたはＣｕなどの金属材料を例えばスパッタリング法または蒸着法などにより導電性金属膜１３が被着形成されている。なお、このスペーサ１２の基部の比抵抗は１０8〜１０9Ω・ｃｍ程度である。
【００３６】
この導電性金属膜１３は、背面基板の側端部から前面基板側の方向に向かって一定の高さを有し、スペーサ１２の長辺方向に沿って一定の幅を有して全域に形成されている。この導電性金属膜１３の表面抵抗はスペーサ１２の基部側では１０6Ω／□以下である。また、この導電性金属膜１３の高さＨＣは、スペーサ１２の高さＨＳの１／５〜１／１００であるが、より好ましくは、スペーサ１２の高さＨＳの１／１０〜１／５０である。さらに導電性金属膜１３は前面基板側よりも背面基板側に近い位置に形成されている。
【００３７】
また、この導電性金属膜１３の前面基板側は膜厚が徐々に薄くなる薄肉部１３ｂが一体的に形成されている。この薄肉部１３ａの厚さは、導電性金属膜１３の前面基板側端部から背面基板側の方向に沿って徐々に厚くなって形成されている。この導電性金属膜１３の前面基板側端部の一部に薄肉部１３ｂを形成する場合には、ノッキング法を用いて形成する。ノッキング工程では、陽極電極に通常動作時の２〜３倍の電圧を瞬間的に印加して強制的に管内に放電を発生させることにより、薄肉部１３ｂを形成することができる。
【００３８】
このような構成において、導電性金属膜１３に薄肉部１３ｂが形成されるので、導電性金属膜１３とスペーサ１２の基部との遷移領域で電界の変化が緩やかになり、電界に歪みが小さくなる。よって電子放出素子から放出された電子の軌道を適正化できる。また、導電性金属膜１３は、前面基板側端部から背面基板側の方向に沿って徐々に厚くして薄肉部１３ｂが形成されるので、熱応力などにより導電性金属膜１３がスペーサ１２から剥がれることを抑制できる。
【００３９】
なお、導電性金属膜１３の薄肉部１３ｂは、前面基板側の端部の全域に形成されても良く、また、前面基板側の端部の一部に形成されても良い。
【００４０】
このように構成された画像表示装置は、スペーサ１２の両側面側に導電性金属膜１３が形成されるので、メタルバック膜とスペーサ１２の導電性金属膜１３との間に放電が発生する。放電した個所の導電性金属膜１３は、図８に示すように前面基板側に先端部が鋭角となる薄肉部１３ｂが形成される断面形状となる。ノッキング処理を行なうことにより、導電性金属膜１３の放電の起き易い個所が放電の起き難い形状に変形させることができる。
【００４１】
よって、導電性金属膜１３の前面基板側の先端部が鋭角に尖って形成される薄肉状の断面形状とすることにより、通常動作時に放電を抑制できる。また、譬え、放電が発生したとしても、スペーサ１２の背面基板側に導電性金属膜１３が形成されているので、陽極電極と導電性金属膜１３との間で放電が発生し、電子放出素子を破壊することがない。なお、スペーサ１２は配線上に設置されており、走査信号配線と電気的に接続されている。
【００４２】
図９は、背面基板とスペーサとの固定部の構造を説明する要部拡大断面図であり、前述した図と同一部分には同一符号を付し、その説明は省略する。図９において、スペーサ１２は導電性接着材１４により背面基板１に固定されている。また、スペーサ１２は走査信号配線９上に配置されている。導電性金属膜１３は導電性接着材１４と接触されている。
【００４３】
また、スペーサ１２と背面基板１との対向面には、スペーサ１２の基部１２１が露出している。そして、対向面のスペーサ１２の基部が導電性接着剤１４により背面基板１に固定されている。
【００４４】
つまり、スペーサ１２の背面基板１との対向面には導電性金属膜１３が形成されていない。このため、導電性金属膜１３を介さずにスペーサ１２の基部１２１に導電性接着剤１４が直接接触するので、導電性金属膜１３が剥がれることによるスペーサ１２の離脱を防止できる。なお、導電性接着材１４は、例えば接着用フリットガラスまたはガラス化成分と例えば銀とを含有した導電性フリットガラスが使用される。
【００４５】
この導電性接着材１４の高さは、約３０μｍ程度が良い。この導電性接着材１４が導電性を有しているために電子放出素子から放出される電子の軌道に影響を与えるために約３０μｍ以下が良い。また、導電性接着材１４の高さが低すぎると、スペーサ１２の保持能力が弱くなるので、少なくとも約２０μｍ以上が望ましい。
【００４６】
図１０は、背面基板とスペーサとの固定部の構造を説明する要部拡大断面図であり、前述した図と同一部分には同一符号を付し、その説明は省略する。図１０において、スペーサ１２は、導電性接着材１４により背面基板１に固定されている。また、スペーサ１２は走査信号配線９上に配置されている。導電性金属膜１３と導電性接着材１４とは約０．１ｍｍ以下の隙間Ｇを有している。また、スペーサ１２と導電性接着材１４との間には、導電性金属膜１３が存在しない大きなフリット高さＨＦが確保できるので、スペーサ１２を強固に固定することができる。隙間Ｇが大きい場合は、導電性金属膜１３と導電性接着材１４とを導通させる導通手段が必要となる。また、導電性金属膜１３と導電性接着材１４とを接触させてもよい。即ち、スペーサ１２の端部から離れた位置に導電性金属膜１３を形成することでスペーサ１２を導電性接着材１４で強固に固定できる。
【実施例３】
【００４７】
図１１は、本発明に係わる画像表示装置の実施例３のスペーサの構成を詳細に説明するスペーサの側面から見た平面図であり、前述した図と同一部分に同一符号を付し、その説明は省略してある。
【００４８】
この画像表示装置に使用するスペーサ１２は、例えばセラミックス材などの絶縁性材料により薄板状に形成されている。そのスペーサ基部の両側壁には例えばＡｌ，Ｃｒ，Ｎｉ，Ｔａ，ＭｏまたはＣｕなどの金属材料を例えばスパッタリング法または蒸着法などにより導電性金属膜１３が長辺方向の全域にわたって被着形成されている。さらに、この導電性金属膜１３の前面基板側には、凹凸部１３ｃが一体的に形成されている。
【００４９】
この導電性金属膜１３の表面抵抗はスペーサ１２の基部側では１０6Ω／□以下である。また、この導電性金属膜１３の高さＨＣは、スペーサ１２の高さＨＳの１／５〜１／１００であるが、より好ましくは、スペーサ１２の高さＨＳの１／１０〜１／５０である。さらに導電性金属膜１３は前面基板側よりも背面基板側に近い位置に形成されている。
【００５０】
このような構成においては、スペーサ１２の基部の両側壁に凹凸部１３ｃを有する導電性金属膜１３を形成して導電性金属膜１３が陽極電極と放電し易い形状にとした。そして、画像表示装置の製造工程にノッキング工程を追加して強制的に放電を発生させた。ノッキング工程では、導電性金属膜１３を電界が集中し易い形状に形成してあるので、導電性金属膜１３と陽極電極とで放電し、電子放出素子が破壊されることはない。また、ノッキング工程では、通常動作時の２〜３倍に電圧を印加して放電させるので、通常動作時は放電する可能性が低くなる。
【００５１】
図１２は、本発明に係わる画像表示装置を構成する背面基板の内面側から見た要部平面図である。図１２において、セラミックス材（ガラスを含む）などを好適とする背面基板１の主面（前面）には、第１の方向（ｙ方向）に延在して第１の方向と交差する第２の方向（ｘ方向）に並設された複数のデータ線（または陰極ラインとも称する）８と、第２の方向（ｘ方向）に延在して第２の方向と交差する第１の方向（ｙ方向）に並設された複数の走査線９とを有している。マトリクス状に配置されたこれらのデータ線８及び走査線９の交差部または交差部近傍には冷陰極による電子放出素子が形成されている。
【００５２】
走査線９は、その一端が走査ドライバＳＤに接続されている。一方、データ線８はその一端がデータドライバＤＤに接続されている。前面基板は、図中、破線部分に沿って対向して配置される。前面基板２と背面基板１とはその対向領域の外周に沿って接着され、内部ガスを排気して封止される。前述したスペーサは走査線９上に配置される。
【００５３】
図１３は、本発明に係わる画像表示装置を構成する前面基板の内面側から見た要部平面図である。図１３において、透光性ガラス材からなる前面基板２の内面には、図１２に示す複数のデータ線８の長手方向に沿って赤色蛍光体層ＰＨＲ，緑色蛍光体層ＰＨＧ及び青色蛍光体層ＰＨＢを有する蛍光面ＰＨが形成され、さらにこの蛍光面ＰＨには各赤色蛍光体層ＰＨＲ，緑色蛍光体層ＰＨＧ及び青色蛍光体層ＰＨＢを区画するブラックマトリクス膜ＢＭが形成されている。
【００５４】
図１４は、前面基板２の内面に形成された蛍光面ＰＨの拡大断面図である。図１４において、蛍光面ＰＨを構成する各赤色蛍光体層ＰＨＲ，緑色蛍光体層ＰＨＧ及び青色蛍光体層ＰＨＢはブラックマトリクス膜ＢＭの一部を覆って形成されている。また、この蛍光面ＰＨ上には各赤色蛍光体層ＰＨＲ，緑色蛍光体層ＰＨＧ及び青色蛍光体層ＰＨＢの発光光を効率的に反射させるメタルバック膜ＭＴが形成されている。このメタルバック膜ＭＴには陽極電圧が印加され、陽極電極として機能する。前述したスペーサはブラックマトリクス膜ＢＭ上に配置される。
【００５５】
このように構成された画像表示装置は、スペーサに導電性金属膜を形成して陽極と導電性金属膜との間で放電し易くしたので、電子放出素子と陽極電極との間で放電が発生し難くなった。このために電子放出素子の破壊を抑制できる。また、画像表示装置の製造工程中にノッキング工程で陽極電極と導電性金属膜との間で強制的に放電させるので、通常の動作時に放電し難くなり、動作時の放電を制御できるので、放電に起因するガスの発生を抑制でき、電子放出素子を良好な状態に長時間にわたって動作できる。
【００５６】
また、前述した実施例においては、画像表示装置として内面に蛍光体層及びブラックマトリクス膜を有し、蛍光体層及びブラックマトリクス膜の背面にメタルバック膜（陽極電極）を有する前面基板を用いたＦＥＤに適用した場合について説明したが、本発明は、これに限定されるものではなく、プラズマディスプレイ（ＰＤＰ）やメタル−インシュレータ−メタル型電子放出素子を有するパネル型ディスプレイに適用しても前述と全く同様の効果が得られることは勿論である。
【図面の簡単な説明】
【００５７】
【図１】本発明による画像表示装置の実施例１を説明する図であり、図１（ａ）は前面基板側から見た平面図、図１（ｂ）は図１（ａ）のＡ方向から見た平面図である。
【図２】図１の前面基板を取り去って示す背面基板の模式平面図である。
【図３】図２のＢ−Ｂ線に沿って切断した背面基板及びこれと対応する前面基板の模式拡大断面図である。
【図４】本発明による画像表示装置の全体構成を示す要部拡大断面図である。
【図５】図４に示すスペーサの構成を示す平面図である。
【図６】図４のＩ−Ｉ線に沿って切断した断面図である。
【図７】本発明による画像表示装置の実施例２を説明するスペーサの構成を示す平面図である。
【図８】図７のII−II線に沿って切断した断面図である。
【図９】背面基板とスペーサとの固定部の構造を示す要部拡大断面図である。
【図１０】背面基板とスペーサとの固定部の他の構造を説明する要部拡大断面図である。
【図１１】本発明による画像表示装置の実施例３を説明するスペーサの構成を示す平面図である。
【図１２】本発明による画像表示装置の背面基板の構成を示す要部平面図である。
【図１３】本発明による画像表示装置の前面基板の構成を示す要部平面図である。
【図１４】本発明による画像表示装置の前面基板に形成される蛍光面の構成を示す要部拡大断面図である。
【符号の説明】
【００５８】
１・・・背面基板、２・・・前面基板、通孔、３・・・枠体、４・・・排気管、５・・・封着部材、６・・・表示領域、７・・・貫通孔、８・・・画像信号配線、９・・・走査信号配線、１０・・・電子放出素子、１１・・・接続電極、１２・・・スペーサ（間隔保持部材）、１２１・・・基部、１３・・・導電性金属膜、１３ａ・・・凸部、１３ｂ・・・薄肉部、１３ｃ・・・凹凸部、１４・・・接着部材、１５・・・蛍光体層、１６・・・ＢＭ（ブラックマトリクス）膜、１７・・・メタルバック膜（陽極電極）、ＩＮＳ・・・層間絶縁膜。
【図１】
2007026851.tif 000003
【図２】
2007026851.tif 000004
【図３】
2007026851.tif 000005
【図４】
2007026851.tif 000006
【図５】
2007026851.tif 000007
【図６】
2007026851.tif 000008
【図７】
2007026851.tif 000009
【図８】
2007026851.tif 000010
【図９】
2007026851.tif 000011
【図１０】
2007026851.tif 000012
【図１１】
2007026851.tif 000013
【図１２】
2007026851.tif 000014
【図１３】
2007026851.tif 000015
【図１４】
2007026851.tif 000016